(57)【特許請求の範囲】
【請求項１】
光取込み用の光通過部と、
前記光通過部に、隣同士の光入射側開口部の間隔よりも光出射側開口部の間隔が大きく、かつ、それぞれの光出射側端部の全体を見た場合にその横方向中部分が屋内空間域側に凸状または凹状となる形で、配設された複数の光反射フィンと、を備え、
前記複数の光反射フィンは、
それぞれが同じ形状のＣ字形平板状部材である、
ことを特徴とする屋内空間域への採光装置。
【請求項２】
光取込み用の光通過部と、
前記光通過部に、隣同士の光入射側開口部の間隔よりも光出射側開口部の間隔が大きく、かつ、それぞれの光出射側端部の全体を見た場合にその横方向中部分が屋内空間域側に凸状または凹状となる形で、配設された複数の光反射フィンと、を備え、
前記複数の光反射フィンは、
前記光通過部に、それぞれの光入射側端部の上下位置が、光反射フィン全体の横方向に対して入射光手前側の光反射フィンの方から順に高くまたは低くなる形で配設された部材である、
ことを特徴とする屋内空間域への採光装置。
【請求項３】
光取込み用の光通過部と、
前記光通過部に、隣同士の光入射側開口部の間隔よりも光出射側開口部の間隔が大きく、かつ、それぞれの光出射側端部の全体を見た場合にその横方向中部分が屋内空間域側に凸状または凹状となる形で、配設された複数の光反射フィンと、を備え、
前記複数の光反射フィンは、
それぞれの光入射側端部の隣同士間のピッチが前記横方向中部分で狭くその外側部分で広くなる形に配設されている、
ことを特徴とする屋内空間域への採光装置。
【発明の詳細な説明】
【技術分野】
【０００１】
本発明は、自然光などを、光ダクト出口，光ダクト入口，光ダクト通路途中部分や屋根窓などに設定される、光取込み用の光通過部から屋内空間域へと取り込むに際して、奥領域の明照射化または、より一層の広範囲な明照射化を図るようにした採光装置に関する。
【０００２】
特に、自然光や照明光を、屋内空間域のより奥の方まで明るく照射される形で出力する、または屋内空間域の横方向のより広範囲に明るく照射される、さらには当該広範囲にわたってより均一に照射される形で出力する、ための採光装置である。
【０００３】
本明細書では、それぞれの長手方向が略同一方向となる形で光取込み用の光通過部に配設される、複数の板状の光反射フィンの当該長手方向と略直交する水平方向を「横」と記す。
【０００４】
また、人工的な照明光を含む意で「自然光など」と記し、光ダクトの光反射フィン配設部分よりも下流の通路部分を含む意で「屋内空間域」と記す。
【背景技術】
【０００５】
本件出願人は、自然光を屋内空間域へ取り込む際にその照射範囲が屋内空間域の横方向に広がるようにした採光装置を提案済みである（下記特許文献１参照）。
【０００６】
この採光装置は、複数の光反射フィン（光反射ブレード）を、隣同士の光入射側開口部の間隔よりも光出射側開口部の間隔が大きい形で配設したものである。
【０００７】
そして、複数の光反射フィンに入射する自然光は、屋内横方向に広がって拡散する形で光出射側開口部から屋内空間域へと伝播していく。
【先行技術文献】
【特許文献】
【０００８】
【特許文献１】国際公開ＷＯ２００９−０２５０８９号公報
【発明の概要】
【発明が解決しようとする課題】
【０００９】
この提案済みの採光装置の場合、複数の光反射フィンをその隣同士の光出射側開口部が光入射側開口部よりも広くなる先開きの形で配設し、これにより屋内空間域の広範囲にわたって自然光が照射されるといった利便性を担保している。
【００１０】
本発明ではさらに、光取込み用の光通過部に先開きの形で複数配設された光反射フィンそれぞれの光出射側端部全体の横方向位置関係にも着目して、屋内空間域における自然光などの照射対象部分の奥領域化またはより一層の広範囲化を図ることを目的とする。
【００１１】
また、複数配設される光反射フィンのそれぞれを同一形状の板状部材とし、これにより採光装置全体についての、コストダウン化および施工作業の簡単化を図ることを目的とする。
【００１２】
また、複数配設される光反射フィンの光入射側端部の上下位置を、入射光手前側の光反射フィンの方から横方向に順に高くなるように設定し、これにより採光量の増大化を図ることを目的とする。
【００１３】
また、複数配設される光反射フィンの光出射側端部の全体を見た場合にその横方向中部分が屋内空間域側に凸状となる形の場合において、当該光反射フィンの光入射側端部同士間のピッチを当該横方向中部分で狭くその外側部分で広くなるように設定し、これにより照射対象の床部分などに届く光の量の均一化を図ることを目的とする。
【課題を解決するための手段】
【００１４】
本発明は、以上の課題を次のようにして解決する。
（１）屋内空間域（例えば後述の屋内空間域１）への採光装置において、
光取込み用の光通過部（例えば後述の光通過部２ａ）と、
前記光通過部に、隣同士の光入射側開口部の間隔よりも光出射側開口部の間隔が大きく、かつ、それぞれの光出射側端部の全体を見た場合にその横方向中部分が屋内空間域側に凸状または凹状となる形で、配設された複数の光反射フィン（例えば図４，図５の光反射フィン５１，６１）と、を備え、
前記複数の光反射フィンは、
それぞれが同じ形状のＣ字形平板状部材（例えば図４，図５の短Ｃ字形平板状の光反射フィン５２〜５６，６２〜６６）である、
構成態様のものを用いる。
（２）屋内空間域（例えば後述の屋内空間域１）への採光装置において、
光取込み用の光通過部（例えば後述の光通過部２ａ）と、
前記光通過部に、隣同士の光入射側開口部の間隔よりも光出射側開口部の間隔が大きく、かつ、それぞれの光出射側端部の全体を見た場合にその横方向中部分が屋内空間域側に凸状または凹状となる形で、配設された複数の光反射フィン（例えば図８，図９の光反射フィン９１，101，111，121）と、を備え、
前記複数の光反射フィンは、
前記光通過部に、それぞれの光入射側端部の上下位置が、光反射フィン全体の横方向に対して入射光手前側の光反射フィンの方から順に高くまたは低くなる形で配設された部材（例えば図８，図９の光反射フィン９２〜９９，102〜109，112〜119，122〜129）である、
構成態様のものを用いる。
（３）屋内空間域（例えば後述の屋内空間域１）への採光装置において、
光取込み用の光通過部（例えば後述の光通過部２ａ）と、
前記光通過部に、隣同士の光入射側開口部の間隔よりも光出射側開口部の間隔が大きく、かつ、それぞれの光出射側端部の全体を見た場合にその横方向中部分が屋内空間域側に凸状または凹状となる形で、配設された複数の光反射フィン（例えば図１０の光反射フィン１１，２１）と、を備え、
前記複数の光反射フィンは、
それぞれの光入射側端部の隣同士間のピッチが前記横方向中部分で狭くその外側部分で広くなる形に配設された部材（例えば図１０の光反射フィン１２〜１５，２２〜２５）である、
構成態様のものを用いる。
【００１５】
本発明は、以上の構成からなる屋内空間域への採光装置を対象としている。
【発明の効果】
【００１６】
本発明は以上の課題解決手段により、
(11)屋内空間域の自然光などの照射対象部分の奥領域化、またはより一層の広範囲化を図り、
(12)採光装置全体についての、コストダウン化および施工作業の簡単化を図る、
(13)屋内空間域への採光量の増大化を図る、
(14)照射対象の床部分などに届く光の量の均一化を図る、
ことができる。
【図面の簡単な説明】
【００１７】
【図１】幅が異なる長方形平板状の複数の光反射フィンからなる奥領域明照射化タイプ（屋内空間域側に凹状）の採光装置（その１）を示す説明図であり、(a)は光径路省略の採光装置を示し、(b)は光径路および採光装置を示している。
【図２】幅が異なる長方形平板状の複数の光反射フィンからなる広範囲明照射化タイプ（屋内空間域側に凸状）の採光装置（その１）を示す説明図であり、(a)は光径路省略の採光装置を示し、(b)は光径路および採光装置を示している。
【図３】それぞれが略同一サイズの長方形平板状の複数の光反射フィンからなる採光装置を示す説明図であり、(a)は奥領域明照射化タイプ（屋内空間域側に凹状）を示し、(b)は広範囲明照射化タイプ（屋内空間域側に凸状）を示している。
【図４】それぞれが略同一サイズの短Ｃ字形平板状の複数の光反射フィンからなる奥領域明照射化タイプ（屋内空間域側に凹状）の採光装置を示す説明図である。
【図５】図４の複数の光反射フィンに対応した形の広範囲明照射化タイプ（屋内空間域側に凸状）の採光装置を示す説明図である。
【図６】長方形状輪郭を有する屈曲板形状や湾曲板形状の複数の光反射フィンからなる奥領域明照射化タイプ（屋内空間域側に凹状）の採光装置を示す説明図であり、(a)は下方が内側に屈曲した光反射フィンの場合を示し、(b)は下方が外側に屈曲した光反射フィンの場合を示し、(c)は下方が内側に湾曲した光反射フィンの場合を示している。
【図７】図６の複数の光反射フィンに対応する形の広範囲明照射化タイプ（屋内空間域側に凸状）の採光装置を示す説明図である。
【図８】幅が異なる複数の長方形平板状の光反射フィンからなる奥領域明照射化タイプ（屋内空間域側に凹状）の採光装置（その１）を示す説明図であり、(a)は各光反射フィンの光入射側端部の上下位置を入射光の手前側が低く奥側が高くなるように設定した場合を示し、(b)は光入射側端部の上下位置関係を(a)と逆に設定した場合を示している。
【図９】図８の複数の光反射フィンに対応した形の広範囲明照射化タイプ（屋内空間域側に凸状）の採光装置（その２)を示す説明図である。
【図１０】図１，図２の採光装置における各光反射フィンの設置角度および隣接光入射側端部間の距離を示し、(a)は図１の採光装置に対応し、(b)は図２の採光装置に対応している。
【図１１】図２，図１０(b)の採光装置における床面への到達光の広がり状態を示している。
【発明を実施するための形態】
【００１８】
図１〜図１１を用いて本発明を実施するための形態を説明する。
【００１９】
上述したように本発明では、光ダクト出口，光ダクト入口，光ダクト通路途中や屋根窓などに設定される光取込み用の光通過部を対象にしているが、以下の記載では単なる説明の便宜上、光ダクト出口としての光通過部に複数の光反射フィンからなるルーバを設ける場合を前提とする。
【００２０】
なお、光ダクト通路途中における光取込み用の光通過部とは、そこに入射する自然光などを集光または拡散させるためのルーバが設けられる、光ダクト通路の（長手方向と交わる）横断面部分のことである。
【００２１】
図１〜図１１における光反射フィン以外の構成要素について、
１は自然光などが照射される屋内空間域，
１ａは当該屋内空間域を構成する天井，
１ｂは当該天井に形成された光取込み用の開口部，
２は天井１ａに取り付けられた水平状態の光ダクト，
２ａは開口部１ｂに対応した光ダクト所定部分に開口態様で形成された光取込み用の光通過部（光ダクトの出口の一つ），
３は開口部１ｂ近くの天井部分に固定された一対のアングル（取付け用金具），
４はアングル３に取り付けられた光反射フィン固定用の一対の長方形状の保持基板（図１，図６，図８，図１０参照），
５はアングル３に取り付けられた光反射フィン固定用の一対の蒲鉾断面タイプ形状の保持基板（その１：図２，図３，図７，図９，図１０，図１１参照），
６はアングル３に取り付けられた光反射フィン固定用の一対の蒲鉾断面タイプ形状の保持基板（その２：図３，図４参照），
７はアングル３に取り付けられた光反射フィン固定用の一対の蒲鉾断面タイプ形状の保持基板（その３：図５参照），
８は自然光などが照射される床面，
をそれぞれ示している。
【００２２】
そして、図１〜図１１の、複数の光反射フィンからなる各採光装置の基本的特徴は、
(11)各光反射フィンの全体につき、それぞれの隣同士の光入射側開口部の間隔よりも光出射側開口部の方の間隔が大きくなる先開きの形で設定され、
(12)各光反射フィンの全体として、光出射側端部それぞれの横方向の仮想連続線が屋内空間域側に凹状〔図１，図３(a)，図４，図６，図８，図１０(a)〕または、凸状〔図２，図３(b)，図５，図７，図９，図１０(b)，図１１〕となる形で配設されている、
ことである。
【００２３】
この基本的特徴を備えることにより、
(21)各光反射フィンの光出射側端部が屋内空間域側に凹状となる採光装置においては、屋内空間域への奥領域明照射を実現し、
(22)各光反射フィンの光出射側端部が屋内空間域側に凸状となる採光装置においては、屋内空間域横方向へのより一層の広範囲明照射を実現する、
ことができる。
【００２４】
ここで、(21)の屋内空間域への奥領域明照射を実現できるのは、図１(b)で例示されるように外側の光反射フィンからの反射光が複数光反射フィンの横方向中央側へと進み、光反射フィン全体からの反射光が集まるからである。
【００２５】
また、(22)の屋内空間域への広範囲明明照射を実現できるのは、図２(b)で例示されるように外側の光反射フィンからの反射光が複数光反射フィンの横方向外側へと進み、光反射フィン全体からの反射光が拡散するからである。
【００２６】
図１および図１０(a)の採光装置において、
１１は一対単位で図示上下方向の長さ（幅）が異なり、それぞれ保持基板４にネジ止めされている複数の光反射フィン（＝１２〜１５），
１２は最外部分に配設された長方形平板状で一対の最長幅光反射フィン，
１３は中央最内部分に配設された長方形平板状で一対の最短幅光反射フィン，
１４，１５は最外の最長幅光反射フィン１２と中央最内の最短幅光反射フィン１３との間に、当該光反射フィン１２の方から幅の大きい順に配設された、それぞれ一対単位からなる長方形平板状の中間光反射フィン，
１２ａ〜１５ａは各光反射フィン１２〜１５の光入射側端部，
１２ｂ〜１５ｂは各光反射フィン１２〜１５の光出射側端部，
１６は各光入射側端部１２ａ〜１５ａが略同じ上下位置で、かつ、各光出射側端部１２ｂ〜１５ｂが屋内空間域側に凹状となる形で光通過部２ａに設けられた、奥領域明照射化タイプのルーバ（採光装置），
S１は光入射側端部１２ａから光入射側端部１５ａまでの入射範囲に到達する矢印方向の自然光などのいわば光束の直交方向断面，
をそれぞれ示している。
なお、S１は、自然光などの単位時間あたりの入射量に対応する。
【００２７】
図２，図１０(b)および図１１の採光装置において、
２１は一対単位で図示上下方向の長さ（幅）が異なり、それぞれ保持基板５にネジ止めされている複数の光反射フィン（＝２２〜２５），
２２は最外部分に配設された長方形平板状で一対の最短幅光反射フィン，
２３中央最内部分に配設された長方形平板状で一対の最長幅光反射フィン，
２４，２５は最外の最短幅光反射フィン２２と中央最内の最長幅光反射フィン２３との間に、当該光反射フィン２２の方から幅の小さい順に配設された、それぞれ一対単位からなる長方形平板状の中間光反射フィン，
２２ａ〜２５ａは各光反射フィン２２〜２５の光入射側端部，
２２ｂ〜２５ｂは各光反射フィン２２〜２５の光出射側端部，
２６は各光入射側端部２２ａ〜２５ａが略同じ上下位置で、かつ、各光出射側端部２２ｂ〜２５ｂが屋内空間域側に凸状となる形で光通過部２ａに設けられた、広範囲明照射化タイプのルーバ（採光装置），
S２は図１のS１と同一の直交方向断面，
をそれぞれ示している。
【００２８】
図３(a)の採光装置において、
３１はそれぞれ同じ形状で保持基板６にネジ止めされている複数の光反射フィン（＝３２〜３５），
３２は最外，最下部分に配設された長方形平板状で一対の最下光反射フィン，
３３は中央最内，最上部分に配設された長方形平板状で一対の最上光反射フィン，
３４，３５は最外の最下光反射フィン３２と中央最内の最上光反射フィン３３との間に、当該最下光反射フィン３２の方から順に図示上側の位置に配設された、それぞれ一対単位からなる長方形平板状の中間光反射フィン，
３２ａ〜３５ａは各光反射フィン３２〜３５の光入射側端部，
３２ｂ〜３５ｂは各光反射フィン３２〜３５の光出射側端部，
３６は各光出射側端部３２ｂ〜３５ｂが屋内空間域１の側に凹状となる形で光通過部２ａに設けられた、奥領域明照射化タイプのルーバ（採光装置），
をそれぞれ示している。
【００２９】
図３(b)の採光装置において、
４１はそれぞれ同じ形状で保持基板５にネジ止めされている複数の光反射フィン（＝４２〜４５），
４２は最外，最上部分に配設された長方形平板状で一対の最上光反射フィン，
４３は中央最内，最下部分に配設された長方形平板状で一対の最下光反射フィン，
４４，４５は最外の最上光反射フィン４２と中央最内の最下光反射フィン４３との間に、当該最上光反射フィン４２の方から順に図示下側の位置に配設された、それぞれ一対単位からなる長方形平板状の中間光反射フィン，
４２ａ〜４５ａは各光反射フィン４２〜４５の光入射側端部，
４２ｂ〜４５ｂは各光反射フィン４２〜４５の光出射側端部，
４６は各光出射側端部４２ｂ〜４５ｂが屋内空間域１の側に凸状となる形で光通過部２ａに設けられた、広範囲明照射化タイプのルーバ（採光装置），
をそれぞれ示している。
【００３０】
図４の採光装置において、
５１はそれぞれ同じ形状で保持基板６にネジ止めされている複数の光反射フィン（＝５２〜５６），
５２は最外，最下部分に配設された短Ｃ字形平板状で一対の最下光反射フィン，
５３は中央最内，最上部分に配設された短Ｃ字形平板状で一対の最上光反射フィン，
５４〜５６は最外の最下光反射フィン５２と中央最内の最上光反射フィン５３との間に、当該最下光反射フィン５２の方から順に図示上側の位置に配設された、それぞれ一対単位からなる短Ｃ字形平板状の中間光反射フィン，
５２ａ〜５６ａは各光反射フィン５２〜５６の光入射側端部，
５２ｂ〜５６ｂは各光反射フィン５２〜５６の光出射側端部，
５７は各光出射側端部５２ｂ〜５６ｂが屋内空間域１の側に凹状となる形で光通過部２ａに設けられた、奥領域明照射化タイプのルーバ（採光装置），
をそれぞれ示している。
【００３１】
図５の採光装置において、
６１はそれぞれ同じ形状で保持基板７にネジ止めされている複数の光反射フィン（＝６２〜６６），
６２は最外，最上部分に配設された短Ｃ字形平板状で一対の最上光反射フィン，
６３は中央最内，最下部分に配設された短Ｃ字形平板状で一対の最下光反射フィン，
６４〜６６は最外の最上光反射フィン６２と中央最内の最下光反射フィン６３との間に、当該最上光反射フィン６２の方から順に図示下側の位置に配設された、それぞれ一対単位からなる平板状の中間光反射フィン，
６２ａ〜６６ａは各光反射フィン６２〜６６の光入射側端部，
６２ｂ〜６６ｂは各光反射フィン６２〜６６の光出射側端部，
６７は各光出射側端部６２ｂ〜６６ｂが屋内空間域１の側に凸状となる形で光通過部２ａに設けられた、広範囲明照射化タイプのルーバ（採光装置），
をそれぞれ示している。
【００３２】
図６の採光装置において、
７１は図１の複数の光反射フィン１１それぞれの下方が内側に屈曲した形状の屈曲板からなり、それぞれ保持基板４にネジ止めされている光反射フィン，
７２は各光反射フィン７１の光出射側端部が屋内空間域１の側に凹状となる形で光通過部２ａに設けられた、奥領域明照射化タイプのルーバ（採光装置），
７３は図１の複数の光反射フィン１１それぞれの下方が外側に屈曲した形状の屈曲板からなり、それぞれ保持基板４にネジ止めされている光反射フィン，
７４は各光反射フィン７３の光出射側端部が屋内空間域１の側に凹状となる形で光通過部２ａに設けられた、奥領域明照射化タイプのルーバ（採光装置），
７５は図１の複数の光反射フィン１１それぞれの下方が内側に湾曲した形状の湾曲板からなり、それぞれ保持基板４にネジ止めされている光反射フィン，
７６は各光反射フィン７５の光出射側端部が屋内空間域１の側に凹状となる形で光通過部２ａに設けられた、奥領域明照射化タイプのルーバ（採光装置），
をそれぞれ示している。
【００３３】
図７の採光装置において、
８１は図２の複数の光反射フィン２１それぞれの下方が内側に屈曲した形状の屈曲板からなり、それぞれ保持基板５にネジ止めされている光反射フィン，
８２は各光反射フィン８１の光出射側端部が屋内空間域１の側に凸状となる形で光通過部２ａに設けられた、広範囲明照射化タイプのルーバ（採光装置），
８３は図２の複数の光反射フィン２１それぞれの下方が外側に屈曲した形状の屈曲板からなり、それぞれ保持基板５にネジ止めされている光反射フィン，
８４は各光反射フィン８３の光出射側端部が屋内空間域１の側に凸状となる形で光通過部２ａに設けられた、広範囲明照射化タイプのルーバ（採光装置），
８５は図２の複数の光反射フィン２１それぞれの下方が内側に湾曲した形状の湾曲板からなり、それぞれ保持基板５にネジ止めされている光反射フィン，
８６は各光反射フィン８５の光出射側端部が屋内空間域１の側に凸状となる形で光通過部２ａに設けられた、広範囲明照射化タイプのルーバ（採光装置），
をそれぞれ示している。
【００３４】
図８(a)の採光装置において、
９１は図示上下方向の長さ（幅）が異なり、それぞれ保持基板４にネジ止めされている複数の光反射フィン（＝９２〜９９），
９２は矢印入射光の最手前部分に配設された長方形平板状の最手前光反射フィン，
９３は矢印入射光の最奥部分に配設された長方形平板状の最奥光反射フィン，
９４〜９９は最手前光反射フィン９２と最奥光反射フィン９３との間に配設された中間光反射フィン，
９２ａ〜９９ａは各光反射フィン９２〜９９の光入射側端部，
９２ｂ〜９９ｂは各光反射フィン９２〜９９の光出射側端部，
１００は光入射側端部９２ａ〜９９ａの上下位置が最手前光反射フィン９２から最奥光反射フィン９３に向かって順次高くなり、かつ、それぞれの光出射側端部９２ｂ〜９９ｂが屋内空間域側に凹状となる形で光通過部２ａに設けられた、奥領域明照射化タイプのルーバ（採光装置），
S３は光入射側端部９２ａから光入射側端部９９ａまでの入射範囲に到達する矢印方向の自然光などのいわば光束の直交方向断面，
をそれぞれ示している。
なお、S３は、自然光などの単位時間あたりの入射量に対応する。
【００３５】
図８(b)の採光装置において、
１０１は光入射側端部の上下位置が図８(a)とは逆の関係となる態様でそれぞれ保持基板４にネジ止めされている複数の光反射フィン（＝１０２〜１０９），
１０２は矢印入射光の最手前部分に配設された長方形平板状の最手前光反射フィン，
１０３は矢印入射光の最奥部分に配設された長方形平板状の最奥光反射フィン，
１０４〜１０９は最手前光反射フィン１０２と最奥光反射フィン１０３との間に配設された中間光反射フィン，
１０２ａ〜１０９ａは各光反射フィン１０２〜１０９の光入射側端部，
１０２ｂ〜１０９ｂは各光反射フィン１０２〜１０９の光出射側端部，
１１０は光入射側端部１０２ａ〜１０９ａの上下位置が最手前光反射フィン１０２から最奥光反射フィン１０３に向かって順次低くなり、かつ、光出射側端部１０２ｂ〜１０９ｂが屋内空間域側に凹状となる形で光通過部２ａに設けられた、奥領域明照射化タイプのルーバ（採光装置），
S４は光入射側端部１０２ａから光入射側端部１０９ａまでの入射範囲に到達する矢印方向の自然光などのいわば光束の直交方向断面
をそれぞれ示している。
なお、S４は、自然光などの単位時間あたりの入射量に対応する。
【００３６】
図９(a)の採光装置において、
１１１は図示上下方向の長さ（幅）が異なり、それぞれ保持基板５にネジ止めされている複数の光反射フィン（＝１１２〜１１９），
１１２は矢印入射光の最手前部分に配設された長方形平板状の最手前光反射フィン，
１１３は矢印入射光の最奥部分に配設された長方形平板状の最奥光反射フィン，
１１４〜１１９は最手前光反射フィン１１２と最奥光反射フィン１１３との間に配設された中間光反射フィン，
１１２ａ〜１１９ａは各光反射フィン１１２〜１１９の光入射側端部，
１１２ｂ〜１１９ｂは各光反射フィン１１２〜１１９の光出射側端部，
１２０は光入射側端部１１２ａ〜１１９ａの上下位置が最手前光反射フィン１１２から最奥光反射フィン１１３に向かって順次高くなり、かつ、光出射側端部１１２ｂ〜１１９ｂが屋内空間域側に凸状となる形で光通過部２ａに設けられた、広範囲明照射化タイプのルーバ（採光装置），
S５は図８(a)のS３と同一の直交方向断面，
をそれぞれ示している。
【００３７】
図９(b)の採光装置において、
１２１は光入射側端部の上下位置が図９(a)とは逆の関係となる態様でそれぞれ保持基板５にネジ止めされている複数の光反射フィン（＝１２２〜１２９），
１２２は矢印入射光の最手前部分に配設された長方形平板状の最手前光反射フィン，
１２３は矢印入射光の最奥部分に配設された長方形平板状の最奥光反射フィン，
１２４〜１２９は最手前光反射フィン１２２と最奥光反射フィン１２３との間に配設された中間光反射フィン，
１２２ａ〜１２９ａは各光反射フィン１２２〜１２９の光入射側端部，
１２２ｂ〜１２９ｂは各光反射フィン１２２〜１２９の光出射側端部，
１３０は光入射側端部１２２ａ〜１２９ａの上下位置が最手前光反射フィン１２２から最奥光反射フィン１０３に向かって順次低くなり、かつ、光出射側端部１２２ｂ〜１２９ｂが屋内空間域側に凸状となる形で光通過部２ａに設けられた、広範囲明照射化タイプのルーバ（採光装置），
S６は図８(b)のS４と同一の直交方向断面，
をそれぞれ示している。
【００３８】
ここで、図１〜図１１で示した各光反射フィンは紙面に垂直な形状のもので、それぞれの両面が鏡面態様となっている。
【００３９】
したがって、図１〜図１１の各採光装置に入射する自然光などは、隣同士の光反射フィンのいわば対向面間で反射を繰り返した後、屋内空間域へと出射していく〔図１(b)，図２(b)参照〕。
【００４０】
図８(a)および図９(a)の採光装置１００，１２０では、矢印入射光の最手前光反射フィン９２，１１２と最奥光反射フィン９３，１１３との間で取り込まれる自然光などの採光量が図１および図２の採光装置におけるそれよりも多くなる。
すなわち、「S３，S５の大きさ＞S１，S２の大きさ」である。
【００４１】
これとは逆に図８(b)および図９(b)の採光装置１１０，１３０では、矢印入射光の最手前光反射フィン１０２，１２２と最奥光反射フィン１０３，１２３との間で取り込まれる自然光などの採光量が図１および図２の採光装置におけるそれよりも少なくなる。
すなわち、「S４，S６の大きさ＜S１，S２の大きさ」である。
【００４２】
ここで、図８(a)および図９(a)の採光装置１００，１２０を、矢印入射光が東方入射光となる形で屋根窓に設置した場合、屋内空間域への自然光入射量は朝方に多く、夕方に少なくなる。
【００４３】
また、図８(b)および図９(b)の採光装置１００，１２０を、矢印入射光が東方入射光となる形で屋根窓に設置した場合、屋内空間域への自然光入射量は朝方に少なく、夕方に多くなる。
【００４４】
図１０に示すように、図１の光反射フィン１１（１２〜１５）および図２の各反射フィン２１（２２〜２５）の各光入射側端部の位置は、
(31)最短光反射フィン１３，１３同士の間隔および、最長光反射フィン２３，２３同士の間隔がともに「20mm」に設定され、
(32)最短光反射フィン１３と中間光反射フィン１５との間隔および、最長光反射フィン２３と中間光反射フィン２５との間隔がともに「25mm」に設定され、
(33)中間光反射フィン１５と中間光反射フィン１４との間隔および、中間光反射フィン２５と中間光反射フィン２４との間隔がともに「30mm」に設定され、
(34)中間光反射フィン１４と最長光反射フィン１２との間隔および、中間光反射フィン２４と最短光反射フィン２２との間隔がともに「35mm」に設定されている。
【００４５】
また、図１の光反射フィン１１（１２〜１５）および図２の各反射フィン２１（２２〜２５）の傾きは、最短光反射フィン１３，１３の真ん中および最長光反射フィン２３，２３の真ん中にそれぞれ想定される図示上下方向の仮想基準面に対して、
(41)最短光反射フィン１３，１３および最長光反射フィン２３，２３が「５度」（＝当該最短光反射フィン同士間の角度および当該最長光反射フィン同士間の角度は「10度」）に設定され、
(42)中間光反射フィン１５，２５が「10度」（＝最短光反射フィン１３および最長光反射フィン２３に対しては「５度」）に設定され、
(43)中間光反射フィン１４，２４が「15度」（＝中間光反射フィン１５，２５に対しては「５度」）に設定され、
(44)最長光反射フィン１２および最短光反射フィン２２が「20度」（＝中間光反射フィン１４，２４に対しては「５度」）に設定されている。
【００４６】
なお、図１０で示した位置および傾きの数値は、図３〜図９の各光反射フィン３１，４１，５１，６１，７１，７３，７５，８１，８３，８５，９１，１０１，１１１，１２１それぞれにも適用される。
【００４７】
図１１で示すように、図２，図１０(b)の屋内空間域側に凸状の各反射フィン２１（２２〜２５）の中で狭ピッチ20mmの光入射側端部２３ａ，２３ａ間に入る少量自然光などは床面８の狭い範囲に集まり、これより外側で例えば広ピッチ35mmの光入射側端部２２ａ，２４ａ間に入る多量自然光などは床面８の広い範囲に拡散する。
【００４８】
この光入射側端部のピッチの狭広にともなう床面８への集光，光拡散の関係は勿論、複数の光反射フィン２１（２２〜２５）それぞれの相互間で担保される。
【００４９】
そのため、各反射フィン２１（２２〜２５）から床面８に到達する自然光などの量が、等ピッチの光入射側端部からなる各反射フィンの場合に比べて、所定の床面範囲で均一化される。
【００５０】
この床面への到達自然光などの均一化は、図３(b)，図５，図７，図９それぞれの屋内空間域側に凸状の各反射フィン４１，６１，８１，８３，８５，１１１，１２１のそれぞれにおいても担保される。
【００５１】
以上の各光反射フィンの鏡面（両面）は、
・アルミ製ミラー
・ステンレス製ミラー
・銀，アルミニウムの真空金属蒸着フィルム処理を施した樹脂製ミラー
などからなっている。
【００５２】
本発明が以上の実施形態に限定されないことは勿論であり例えば、
(51)平面形状の光反射フィンに代えて、幅方向の断面形状が曲面となる光反射フィンを用いる（国際公開２００９／０２５０８９号公報の図６参照）、
(52)光反射フィンの反射面として光拡散面（梨地仕様，凹凸仕様，白色塗料仕様などの光拡散面）を用いる、
(53)光反射フィンの取付けの際にリベット止め，接着などの各種固定手段を用いる、
ようにしてもよい。
【符号の説明】
【００５３】
〔図１〜図１１〕
１：屋内空間域
１ａ：天井
１ｂ：光取込み用の開口部
２：光ダクト
２ａ：光取込み用の光通過部（光ダクトの出口の一つ）
３：一対のアングル
４：一対の長方形状の保持基板（図１，図６，図８，図１０）
５：一対の蒲鉾断面タイプ形状の保持基板（図２，図３，図７，図９，図１０，図１１）
６：一対の蒲鉾断面タイプ形状の保持基板（図３，図４）
７：一対の蒲鉾断面タイプ形状の保持基板（図５）
８：床面
【００５４】
〔図１および図１０(a)〕
１１：複数の光反射フィン（＝１２〜１５）
１２：一対の最長幅光反射フィン
１３：一対の最短幅光反射フィン
１４，１５：中間光反射フィン
１２ａ〜１５ａ：光入射側端部
１２ｂ〜１５ｂ：光出射側端部
１６：奥領域明照射化タイプのルーバ（採光装置）
S１：光束の直交方向断面
〔図２，図１０(b)，図１１〕
２１：複数の光反射フィン（＝２２〜２５）
２２：一対の最短幅光反射フィン
２３：一対の最長幅光反射フィン
２４，２５：中間光反射フィン
２２ａ〜２５ａ：光入射側端部
２２ｂ〜２５ｂ：光出射側端部
２６：広範囲明照射化タイプのルーバ（採光装置）
S２：光束の直交方向断面
〔図３〕
３１：複数の光反射フィン（＝３２〜３５）
３２：一対の最下光反射フィン
３３：一対の最上光反射フィン
３４，３５：中間光反射フィン
３２ａ〜３５ａ：光入射側端部
３２ｂ〜３５ｂ：光出射側端部
３６：奥領域明照射化タイプのルーバ（採光装置）
４１：複数の光反射フィン（＝４２〜４５）
４２：一対の最上光反射フィン
４３：一対の最下光反射フィン
４４，４５：中間光反射フィン
４２ａ〜４５ａ：光入射側端部
４２ｂ〜４５ｂ：光出射側端部
４６：広範囲明照射化タイプのルーバ（採光装置）
〔図４，図５〕
５１：複数の光反射フィン（＝５２〜５６）
５２：一対の最下光反射フィン
５３：一対の最上光反射フィン
５４〜５６：中間光反射フィン
５２ａ〜５６ａ：光入射側端部
５２ｂ〜５６ｂ：光出射側端部
５６：奥領域明照射化タイプのルーバ（採光装置）
６１：複数の光反射フィン（＝６２〜６６）
６２：一対の最上光反射フィン
６３：一対の最下光反射フィン
６４〜６６：中間光反射フィン
６２ａ〜６６ａ：光入射側端部
６２ｂ〜６６ｂ：光出射側端部
６７：広範囲明照射化タイプのルーバ（採光装置）
〔図６，図７〕
７１，７３，７５，８１，８３，８５：光反射フィン
７２，７４，７６：奥領域明照射化タイプのルーバ（採光装置）
８２，８４，８６：広範囲明照射化タイプのルーバ（採光装置）
〔図８〕
９１：複数の光反射フィン（＝９２〜９９）
１０１：複数の光反射フィン（＝１０２〜１０９）
９２，１０２：最手前光反射フィン
９３，１０３：最奥光反射フィン
９４〜９９，１０４〜１０９：中間光反射フィン
９２ａ〜９９ａ，１０２ａ〜１０９ａ：光入射側端部
９２ｂ〜９９ｂ，１０２ｂ〜１０９ｂ：光出射側端部
１００，１１０：奥領域明照射化タイプのルーバ（採光装置）
S３，S４：光束の直交方向断面
〔図９〕
１１１：複数の光反射フィン（＝１１２〜１１９）
１２１：複数の光反射フィン（＝１２２〜１２９）
１１２，１２２：最手前光反射フィン
１１３，１２３：最奥光反射フィン
１１４〜１１９，１２４〜１２９：中間光反射フィン
１１２ａ〜１１９ａ，１２２ａ〜１２９ａ：光入射側端部
１１２ｂ〜１１９ｂ，１２２ｂ〜１２９ｂ：光出射側端部
１２０，１３０：広範囲明照射化タイプのルーバ（採光装置）
S５，S６：光束の直交方向断面
【図１】
0005629889.tif 000002
【図２】
0005629889.tif 000003
【図３】
0005629889.tif 000004
【図４】
0005629889.tif 000005
【図５】
0005629889.tif 000006
【図６】
0005629889.tif 000007
【図７】
0005629889.tif 000008
【図８】
0005629889.tif 000009
【図９】
0005629889.tif 000010
【図１０】
0005629889.tif 000011
【図１１】
0005629889.tif 000012